(57)【要約】【課題】  径の異なるキャップに対応する複数の係合孔を具えるとともに、キャップ径にあった係合孔を選択するとともに、小さな握力で係合孔をキャップ外周に安定して密着させ、開封できるようにしたキャップ開封器具を提供すること。【解決手段】  キャップ開封器具として、キャップに対応する係合孔を設け、円周の一部を切欠いて二つの両端部を形成したキャップ係合部と、該キャップ係合部の端部に連設した一対の握り柄とからなるキャップ開封器具であって、キャップ係合部の所定位置に縦溝を刻設して、キャップ係合部に薄肉部を設けたことを特徴とする。【選択図】  図１
2007091272.tif 000002
【特許請求の範囲】
【請求項１】
キャップに対応する係合孔を設け、円周の一部を切欠いて二つの両端部を形成したキャップ係合部と、該キャップ係合部の端部に連設した一対の握り柄とからなるキャップ開封器具であって、
キャップ係合部の所定位置に縦溝を刻設して、キャップ係合部に薄肉部を設けたことを特徴とするキャップ開封器具。
【請求項２】
薄肉部が、キャップ係合部の中央部、または中央部から隔てた二つの位置に設けられ、握り柄を握り込むことによって薄肉部が撓み、キャップ係合部がキャップ外周に密着するようにしたことを特徴とする請求項１記載のキャップ開封器具。
【請求項３】
薄肉部が、キャップ係合部の中央部と、中央部から所定距離離れた対称的な位置に設けられていることを特徴とする請求項１、または２記載のキャップ開封器具。
【請求項４】
径の異なる複数の係合孔を具え、最小径の係合孔の端縁部に沿って複数の係合片を突設していることを特徴とする請求項１〜３記載のキャップ開封器具。
【発明の詳細な説明】
【技術分野】
【０００１】
本発明は、ボトル口部のキャップなどの開封器具に関するものである。
【背景技術】
【０００２】
ボトル口部に強固に螺着したキャップを、簡単に、しかも大きさの異なるキャップに対応して開封することができるように、ボトル口部のキャップに嵌挿して、回転させて開封するキャップ開封器具は、従来より知られている（例えば、特許文献１、２参照）。
【０００３】
上記特許文献１記載のキャップ開封器具は、可動部（１５）を本体（１０）に対し進退自在に設け、この本体（１０）には異なる径のキャップ（円柱形蓋（１１））が挿入可能となる円弧状溝部（１２）を形成し、可動部（１５）には弧状部（１４）を設け、この円弧状溝部（１２）と弧状部（１４）により各種容器のキャップ（円柱形蓋（１１））を把持して回せるようにしている。
【０００４】
上記特許文献２記載のキャップ開閉器具は、キャップのローレット部に噛合する歯部（３４）を円弧状の凹部（３３）を具えたキャップ支持台（３０）と、先端に操作部（５２）を設けたねじ部（１２）をプレート部（１１）に設けたナット部（２２）に螺合させ、キャップを大きさに合わせてねじ部（１２）で締付けるようにして挟持している。
【特許文献１】実開平７−３３８９７号公報
【特許文献２】特開平２００３−１７０９９７
【発明の開示】
【発明が解決しようとする課題】
【０００５】
しかしながら、上記特許文献１記載の開封器具では、本体と可動部を手指で挟持してキャップを把持するため、把持力が人によって異なり、ボトルを固定しキャップを把持して回転させる際に、把持力の弱い人ではキャップを回転させられないという問題があった。
また、開封器具を一定角度回転させると、キャップの把持を外し、再度キャップを把持し直さなければならず、操作性がよくないという問題があった。
【０００６】
上記特許文献２記載の開封器具では、キャップの大きさに合わせ、操作部（５２）を摘んでねじ部（１２）を回転させキャップを締付けるので、操作性がよくないという問題があった。
また、キャップ自体にローレットが形成されていないと開封器具が空回転してしまい、金属製のキャップ、例えばドリンク栄養剤などのローレットが形成されていないものでは開封することができなかった。
【０００７】
本発明は、上記問題点を解決することを課題とし、径の異なるキャップに対応する複数の係合孔を具えるとともに、キャップ径にあった係合孔を選択するとともに、小さな握力で係合孔をキャップ外周に安定して密着させ、開封できるようにしたキャップ開封器具を提供することを目的とする。
【課題を解決するための手段】
【０００８】
本発明は、上記の課題を解決するため、キャップ開封器具として、キャップに対応する係合孔を設け、円周の一部を切欠いて二つの両端部を形成したキャップ係合部と、該キャップ係合部の端部に連設した一対の握り柄とからなるキャップ開封器具であって、キャップ係合部の所定位置に縦溝を刻設して、キャップ係合部に薄肉部を設けたことを特徴とする構成を採用する。
【０００９】
薄肉部の実施例として、薄肉部が、キャップ係合部の中央部、または中央部から隔てた二つの位置に設けられ、握り柄を握り込むことによって薄肉部が撓み、キャップ係合部がキャップ外周に密着するようにしたことを特徴とする構成、または、薄肉部が、キャップ係合部の中央部と、中央部から所定距離離れた対称的な位置に設けられていることを特徴とする構成を採用する。
【００１０】
係合孔の実施例として、径の異なる複数の係合孔を具え、最小径の係合孔の端縁部に沿って複数の係合片を突設していることを特徴とする構成を採用する。
端縁部は、係合孔の外側端部、或いは他の係合孔との境界側の内側端縁を含んでいる。
【発明の効果】
【００１１】
本発明のキャップ開封器具は、キャップ係合部に薄肉部を形成したので、握り柄を握り込むことによって、薄肉部が撓んでキャップ係合部が折れ曲がり易くなったので、小さい握り力によって係合孔をキャップ外周に密着させることができ、開封が小さい力でできるようになった。
【発明を実施するための最良の形態】
【００１２】
次に、本発明のキャップ開閉器具について、実施例をあげ、図面を参照して説明する。
【実施例１】
【００１３】
図１、２において、１は円周の一個所に切欠き２を有するキャップ係合部、３はキャップ係合部１の切欠き２の両側端部４に連設された一対の握り柄である。
キャップ係合部１は、大径円形の係合孔５と、中径円形の係合孔６とを具えており、係合孔６の下端には、係合孔６より小径の円周面を有する少なくとも三つの係合片７が等間隔をおいて突出している。
【００１４】
キャップ係合部１の切欠き２の反対側、すなわちキャップ係合部の中心部には、係合孔５、係合孔６を通じる縦溝８が刻設され、キャップ係合部１の薄肉部９が形成されている。
薄肉部９から一定の距離離れ、対称的に位置して、係合孔５、係合孔６の表面に、それぞれ一定巾を有するローレット１０が設けられている。
【００１５】
握り柄３は、平板１１とその周縁に沿って立設された側周壁１２とから形成され、平板１１は、切欠き２両側の係合部端部４から径方向に放射線状に延びる直線縁１３と、直線縁１３の先端に続く一定長さの円弧縁１４，円弧縁１４からキャップ係合部１方向に延び、握り柄３を握りやすくするように湾曲した湾曲線縁１５とからなっている。
【００１６】
側周壁１２は、直線縁１３と円弧縁１４、湾曲線縁１５のそれぞれの周縁から立設された平面壁１６、円弧周壁１７、湾曲周壁１８とからなっている。
キャップ係合部１の周壁と、湾曲周壁１８の接続部近くの周壁には、補強リブ１９が架設され、円弧周壁１７と、湾曲周壁１８の一部分には、滑り止めのための突条２０が突設されている。
【００１７】
次に、本実施例のキャップ開封器具の使用態様と作用効果について説明する。
キャップ開封器具の使用にあたって、大径キャップＣ１を開封するときには、図３（ａ）に示すように、開封器具を大径の係合孔５の側から大径キャップＣ１に嵌入させて握り柄３を握りしめると、係合孔５を大径キャップＣ１の外周に密着させることができる。
その際、キャップ係合部１の薄肉部９が撓んで、小さな力であっても強い力で、係合孔５が大径キャップＣ１の外周面に密着係合する。
【００１８】
次いで、握り柄３を握って、反時計方向に廻転させると、大径キャップＣ１を開封させ、次に、通常のように、キャップを手指で廻転させることによっても、大径キャップＣ１を取り外すことができる。
【００１９】
中径キャップＣ２を開封するときには、図３（ｂ）に示すように、大径の係合孔５の側から中径キャップＣ２を被せ、中径の係合孔６を中径キャップＣ２に係合させ、両側から握り柄３を握りしめると、係合孔６が中径キャップＣ２の外周に密着し、次いで、握り柄３を反時計方向に廻動すると、中径キャップＣ２を開封し、取外すことができる。
その際、係合片７は、中径キャップＣ２の頂面に係合して、キャップ係合部１から中径キャップＣ２が抜け出ることを阻止するようにも作用する。
【００２０】
小径キャップＣ３を開封するときには、開封器具の上下を逆にして、係止片７を小径キャップＣ３に被嵌し、握り柄３を締め付けると、小径キャップＣ３の外周を締め付けて握り柄３を廻転させると、小径キャップＣ３を廻転させることができる。
【００２１】
したがって、本実施例によれば、キャップ係合孔１の係合孔をキャップ外周に嵌め込み、握り柄３を小さな力で締めつけることによって、薄肉部が撓んで、キャップ係合部１が折れ曲がり、係合孔内面をキャップ外周に密着させ、そのまま廻動させることによって開閉させることができる。
その際、各係合孔の内周面にローレットを設けてあるので、密着が強くなり、締め付け、廻動が確実に行われるようになっている。
開封後は、キャップを普通に廻すことによって、取り外すことができる。
【００２２】
また、キャップの外径に対応する係合孔、係合片を設けたから、外径の異なる大、中、小のキャップにも一つの開封器具で間に合うようになった。
【実施例２】
【００２３】
次に、キャップ係合部内面の溝数を増やして、薄肉部を左右に形成した第２実施例について説明する。
図４に示すように、キャップ係合部１には、縦溝８の両側にほぼ直角に対向する位置に縦溝２５を刻設して二つの薄肉部２６を形成する。
【００２４】
使用にあたって、薄肉部８と薄肉部２６、２６の三個所で折れ曲がるので、小さな力で握り柄３をキャップに締め付けても、外周への密着がより容易となり、確実に締め付けることができる。
【実施例３】
【００２５】
次に、キャップ係合孔を多くした第３実施例について説明する。
図５、６において、１ａは一個所に切欠き２ａを有するキャップ係合部、３ａはキャップ係合部１ａの切欠き２ａの両側端４ａ、４ａから径方向に放射線状に延びている握り柄である。
【００２６】
キャップ係合部１ａは、上方から中径円形の係合孔３０、小径円形の係合孔３１、大径円形の係合孔３２が形成されており、係合孔３１の下端部には、係合孔３１より小径の円周面を内面とする係合片３３が等間隔をおいて突設されている。
キャップ係合部１ａの中心線を挟む円周上の所定の位置には、一対の縦溝３４が係合孔３０、３１、３２を通じて刻設され、薄肉部３５が形成されている。
【００２７】
係合孔３０、３１、３２の内面には、縦溝３４、３４の外側の内周面に所定巾にわたってローレット３６が設けられている。
【００２８】
握り柄３ａは、平板３７と、その周縁から立設された側周壁３８とから形成され、平板３７は切欠き２ａの両側端部４ａから放射線状に延びる直線縁３９と、直線縁３９に続く一定長さの円弧縁４０、及び円弧縁４０の端部に続き握り柄３ａを容易に握れるように湾曲した湾曲線縁４１とからなっている。
【００２９】
側周壁３８は、直線縁３９、円弧縁４０、湾曲線縁４１のそれぞれの周縁から立設された平面壁４２と円周壁４３、湾曲周壁４４とからなっており、キャップ係合部１ａの周壁と湾曲周壁４４の接続部近くには、補強リブ４５が設けられている
円弧周壁４３と、湾曲周壁４４の一定部分には、滑り止め用の凸部４６が設けられている。
【００３０】
次に、本実施例の作用効果について説明する。
使用にあたって、大径キャップＣ１ａを開封する場合には、大径円形の係合孔３２を係合させ、握り柄３ａを握り込むと、二つの薄肉部３５が折れ曲がり、係合孔３２が大径キャップＣ１ａ外周に密着する。
次いで、握り柄３ａを反時計方向に廻動すると、大径キャップＣ１ａを開封することができる。
開封後は、普通に大径キャップＣ１ａを廻転させると、キャップの取外しができる。
【００３１】
中径キャップＣ２ａ、または小径キャップＣ３ａを開封するときには、キャップ係合部１ａの上下を逆して、中径キャップＣ２ａの場合には、係合孔３０と、小径キャップＣ３ａの場合には、係合孔３１をキャップに被嵌し、握り柄３ａを握り込むと、二つの薄肉部３５が折れ曲がり、キャップに対応する係合孔３０、或いは係合孔３１を密着させることができる。
その際、係合片３３は、小径キャップＣ３ａの頂面に係合し、開封器具が抜け落ちないようにしている。
【００３２】
次いで、握り柄３ａを握って反時計方向に廻動させると、キャップを開封することができる。
また、キャップが、小径キャップＣ３ａより小さい場合には、係合片３４をキャップに係合させ、握り柄３ａを握り込むと、二個所の薄肉部３５を折り曲げ、係合片３４をキャップ外周に密着させることができ、握り柄３ａを握ったまま廻動させることによってキャップを開封することができる。  
【００３３】
したがって、本実例では、４種の異なる径のキャップに利用することができ、その他では、第１実施例と同様の作用効果を得ることができる。
【産業上の利用可能性】
【００３４】
本発明は、キャップ係合部に薄肉を設け、折れ曲がり易くしたので、係合部内面がキャップ外周面に密着しやすくなり、種々の径のキャップに利用できるようになった。
【図面の簡単な説明】
【００３５】
【図１】本発明第１実施例のキャップ開封器具の斜視図である。
【図２】キャップ開封器具の説明図で、（ａ）は上面図、（ｂ）は断面立面図である。
【図３】キャップ開封器具の開封時の説明図で、（ａ）は大径キャップ、（ｂ）は中径キャップ、（ｃ）は小径キャップへの係合時を示す図である。
【図４】第２実施例のキャップ開封器具の説明図で、（ａ）は上面図、（ｂ）は断面立面図である。
【図５】第３実施例のキャップ開封器具の下方からみた斜視図である。
【図６】キャップ開封器具の説明図で、（ａ）は上面図、（ｂ）は断面立面図、（ｃ）は下面図である。
【符号の説明】
【００３６】
Ｃ１、Ｃ１ａ      大径キャップ
Ｃ２、Ｃ２ａ      中径キャップ
Ｃ３、Ｃ３ａ      小径キャップ
１、１ａ          キャップ係合部
２、２ａ          切欠き
３、３ａ          握り柄
４、４ａ          両側端部
５、３２          係合孔
６、３０          係合孔
７、３３          係合片
８、２５          縦溝
９、２６、３５    薄肉部
１０、３６        ローレット
１１              平板
１２              側周壁
１３              直線縁
１４              円弧縁
１５              湾曲線縁
１６              平面壁
１７              円弧周壁
１８              湾曲周壁
１９、４５        補強リブ
２０              突条
３１              係合孔
３４              縦溝
３７              平板
３８              側周壁
３９              直線縁
４０              円弧縁
４１              湾曲線縁
４２              平面壁
４３              円周壁
４４              湾曲周壁
【図１】
2007091272.tif 000003
【図２】
2007091272.tif 000004
【図３】
2007091272.tif 000005
【図４】
2007091272.tif 000006
【図５】
2007091272.tif 000007
【図６】
2007091272.tif 000008